(57)【要約】【課題】電子ユニットの抜けが無く、且つ、自由度のある回路モジュールを提供すること。【解決手段】本発明の回路モジュールにおいて、コネクタ４に挿入された電子ユニット８が抜け止め部材３によって抜け止めされたため、振動や衝撃等によるコネクタ４からの電子ユニット８の抜け防止ができて、回路基板９の位置が安定し、これによって、回路基板９とコネクタ４間の接触の確実なものが得られる。【選択図】図１
2007214047.tif 000002
【特許請求の範囲】
【請求項１】
コネクタを取り付けたマザー基板と、このコネクタに挿入され、所望の電気回路が形成された回路基板を有する電子ユニットとを備え、前記マザー基板には、前記コネクタに挿入された前記電子ユニットの抜け止め用の抜け止め部材が設けられ、前記抜け止め部材が前記回路基板に係合して、前記電子ユニットの抜け止めを行うようにしたことを特徴とする回路モジュール。
【請求項２】
前記抜け止め部材がバネ部材によって形成され、前記バネ部材が前記回路基板に弾接したことを特徴とする請求項１記載の回路モジュール。
【請求項３】
前記抜け止め部材は、山形状部を有した前記バネ部材で形成され、前記山形状部が前記回路基板に弾接状態で係合したことを特徴とする請求項２記載の回路モジュール。
【請求項４】
前記コネクタは、絶縁材からなる枠体と、この枠体の底壁に取り付けられたコンタクトを有し、前記底壁が前記マザー基板上に載置されて取り付けられると共に、このコンタクトの端子部が前記底壁の下部に位置するマザー基板の導電パターンに接続されると共に、前記コンタクトの接触部が前記底壁の上部の位置する前記回路基板の電極に接続されたことを特徴とする請求項１から３の何れか１項に記載の回路モジュール。
【請求項５】
前記コネクタは、前記底壁から延びる一対の側壁と、前記底壁に繋がった後壁と、前記底壁に対向し、中央部に空隙部と有した状態で、前記一対の側壁の端部から延びて形成された押さえ部とを有し、前記回路基板は、前記底壁、前記側壁、前記押さえ部、及び前記後壁との間に形成された空間部に内に収納されて、前記コネクタ外に位置した前記回路基板の前方部が前記抜け止め部材によって抜け止めされたことを特徴とする請求項４記載の回路モジュール。
【請求項６】
前記回路基板には、箱状のアンテナと、電子部品が取り付けられ、前記アンテナと前記電子部品は、前記空隙部を通って、前記押さえ部材よりも上方に突出したことを特徴とする請求項５記載の回路モジュール。
【請求項７】
前記電子ユニットには、無線用の送受信回路が設けられたことを特徴とする請求項１から６の何れか１項に記載の回路モジュール。
【発明の詳細な説明】
【技術分野】
【０００１】
本発明は、近距離無線装置等に使用して好適な回路モジュールに関するものである。
【背景技術】
【０００２】
図５は従来の回路モジュールの要部断面図であり、次に、従来の回路モジュールの構成を図５に基づいて説明すると、筺体５１は、前面に設けられた孔５１ａを有し、この孔５１ａからは、平板型のカードからなる電子ユニット５２が挿入可能となっている。
【０００３】
また、筺体５１内には、マザー基板５３と、コネクタ５４が配置され、このコネクタ５４は、コンタクト５５と、このコンタクト５５が取り付けられた枠体５６を有し、筺体５１の奥部に配置されたコンタクト５５は、端子部５５ａがマザー基板５３の導電パターン（図示せず）に接続されている。
【０００４】
そして、電子ユニット５２が孔５１から筺体５１内に挿入されると、電子ユニット５２は、筺体５１の上壁とコネクタ５４の枠体５６との間の空間部に収納され、コンタクト５５の接触部５５ｂが電子ユニット５２の下面に設けられた電極５２ａに接触して、従来の回路モジュールが形成されている（例えば、特許文献１参照）。
【特許文献１】特開２００２−８７７７号公報
【発明の開示】
【発明が解決しようとする課題】
【０００５】
しかし、従来の回路モジュールにあっては、電子ユニット５２が筺体５１の上壁とコネクタ５４の枠体５６との間の空間部に、単に収納された構成であるため、振動や衝撃等によって、電子ユニット５２が矢印Ａ方向に容易に移動して、接触部５５ｂが電極５２ａから外れたり、電子ユニット５２が空間部から抜け出るという問題がある。
【０００６】
また、電子ユニット５２が筺体５１内に収納された構成であるため、電子ユニット５２には、アンテナや電子部品の取付ができず、電子ユニット５２に自由度を持たせることができないという問題がある。
【０００７】
本発明は、このような従来技術の実情に鑑みてなされたもので、その目的は、電子ユニットの抜けが無く、且つ、自由度のある回路モジュールを提供することにある。
【課題を解決するための手段】
【０００８】
上記の目的を達成するために、本発明は、コネクタを取り付けたマザー基板と、このコネクタに挿入され、所望の電気回路が形成された回路基板を有する電子ユニットとを備え、マザー基板には、コネクタに挿入された電子ユニットの抜け止め用の抜け止め部材が設けられ、抜け止め部材が回路基板に係合して、電子ユニットの抜け止めを行うようにしたことを特徴としている。
【０００９】
このように構成した本発明は、抜け止め部材の存在によって、振動や衝撃等によるコネクタからの電子ユニットの抜け防止ができて、回路基板の位置が安定し、これによって、回路基板とコネクタ間の接触の確実なものが得られる。
【００１０】
また、本発明は、上記発明において、抜け止め部材がバネ部材によって形成され、バネ部材が回路基板に弾接したことを特徴としている。
【００１１】
このように構成した本発明は、バネ部材の存在によって、振動や衝撃等による回路基板の動きを吸収出来て、回路基板とコネクタ間の接触の確実なものが得られる。
【００１２】
また、本発明は、上記発明において、抜け止め部材は、山形状部を有したバネ部材で形成され、山形状部が回路基板に弾接状態で係合したことを特徴としている。
【００１３】
このように構成した本発明は、バネ部材に設けた山形状部の存在によって、電子ユニットの挿入と、回路基板とバネ部材の係合が容易にできて、組立性の良好なものが得られる。
【００１４】
また、本発明は、上記発明において、コネクタは、絶縁材からなる枠体と、この枠体の底壁に取り付けられたコンタクトを有し、底壁がマザー基板上に載置されて取り付けられると共に、このコンタクトの端子部が底壁の下部に位置するマザー基板の導電パターンに接続されると共に、コンタクトの接触部が底壁の上部の位置する回路基板の電極に接続されたことを特徴としている。
【００１５】
このように構成した本発明は、コネクタが薄型にできて、薄型の回路モジュールが提供出来る。
【００１６】
また、本発明は、上記発明において、コネクタは、底壁から延びる一対の側壁と、底壁に繋がった後壁と、底壁に対向し、中央部に空隙部と有した状態で、一対の側壁の端部から延びて形成された押さえ部とを有し、回路基板は、底壁、側壁、押さえ部、及び後壁との間に形成された空間部に内に収納されて、コネクタ外に位置した回路基板の前方部が抜け止め部材によって抜け止めされたことを特徴としている。
【００１７】
このように構成した本発明は、コネクタが電子ユニットの取付を兼ねることができて、安価で、小型化を図ることができる。
【００１８】
また、本発明は、上記発明において、回路基板には、箱状のアンテナと、電子部品が取り付けられ、アンテナと電子部品は、空隙部を通って、押さえ部材よりも上方に突出したことを特徴としている。
【００１９】
このように構成した本発明は、コネクタの空隙部の存在によって、回路基板には、背の高いアンテナや電子部品の搭載が可能となって、電子ユニットに自由度を持たせることができる。
【００２０】
また、本発明は、上記発明において、電子ユニットには、無線用の送受信回路が設けられたことを特徴としている。
【００２１】
このように構成した本発明は、アンテナを有した電子ユニットにすることできて、近距離無線装置に使用して好適なものが得られる。
【発明の効果】
【００２２】
本発明は、抜け止め部材の存在によって、振動や衝撃等によるコネクタからの電子ユニットの抜け防止ができて、回路基板の位置が安定し、これによって、回路基板とコネクタ間の接触の確実なものが得られる。
【発明を実施するための最良の形態】
【００２３】
発明の実施の形態について図面を参照して説明すると、図１は本発明の回路モジュールの斜視図、図２は本発明の回路モジュールに係り、電子ユニットを取り去った状態を示す斜視図、図３は本発明の回路モジュールに係り、電子ユニットの抜け防止状態を示す断面図、図４は本発明の回路モジュールに係り、アンテナがコネクタから突出した状態を示す要部断面図である。
【００２４】
次に、本発明の回路モジュールに係る構成を図１〜図４に基づいて説明すると、マザー基板１は、導電パターン２を有すると共に、マザー基板１には、抜け止め部材３と、この抜け止め部材３から離れた後方にコネクタ４が取り付けられている。
【００２５】
抜け止め部材３は、板材等のバネ部材からなり、マザー基板１に取り付けられた取付部３ａと、この取付部３ａの一端に繋がり、へ字状の山形状部３ｂを有し、この山形状部３ｂは、その傾斜部が後述する電子ユニット８の挿入方向に位置している。
【００２６】
コネクタ４は、例えば、ＳＩＭコネクタで形成され、絶縁材からなる枠体５と、この枠体５に取り付けられた押さえ部６と、枠体５の取り付けられた複数のコンタクト７からなり、枠体５は、全体がＵ字状をなし、マザー基板１上に位置する底壁５ａと、この底壁５ａから上に突出する一対の側壁５ｂと、底壁５ａと側壁５ｂに繋がった後壁５ｃを有する。
【００２７】
押さえ部６は、コ字状の金属板からなり、底部６ａと、この底部６ａから上方に延びる側部６ｂと、底部６ａと対向するように、側部６ｂから延びる上部６ｃを有し、この押さえ部６は、互いに対向する位置で、一対の側壁５ｂのそれぞれを抱持して取り付けられ、一対の押さえ部６が取り付けられた際、一対の上部６ｃ間には、空隙部Ｋが形成されている。
【００２８】
なお、押さえ部６は、枠体５と別体の部材で形成したが、この押さえ部材６は、一対の側壁５ｂの端部から底壁５ａに対向するように延びて枠体５と一体に形成され、この一対の押さえ部６間に空隙部Ｋを設けたものでも良い。
【００２９】
コンタクト７は、バネ性のある金属板で形成されると共に略Ｕ字状をなして、底壁５ａに埋設等によって取り付けられ、上部に位置する接触部７ａと、下部に位置する端子部７ｂを有している。
【００３０】
このような構成を有するコネクタ４は、底壁５ａがマザー基板１上に載置されて、端子部７ｂが導電パターン２の半田付等によって接続されると共に、枠体５がマザー基板１に適宜手段によって取り付けられている。
【００３１】
電子ユニット８は、回路基板９と、この回路基板９上に搭載された半導体部品等の電子部品１１と、回路基板９に取り付けられた箱形のアンテナ１２とで構成され、この回路基板９には、無線用の送受信回路等の所望の電気回路が形成されている。
【００３２】
回路基板９の上面には、電子部品１１やアンテナ１２が接続される配線パターン１０を有し、また、回路基板９の下面には、配線パターン１０に接続された複数の電極１０ａが設けられている。
【００３３】
また、アンテナ１２は、箱形の金属板からなる逆Ｆ型のアンテナで形成され、このアンテナ１２によって、回路基板９上の電子部品１１が覆われた構成となっている。
【００３４】
このような構成を有する電子ユニット８は、前方に位置する抜け止め部材３側からコネクタ４の底壁５ａ、側壁５ｂ、及び押さえ部６間で形成される空間部に挿入すると、先ず、箱形のアンテナ１２と電子部品１１は、押さえ部６間の空隙部Ｋを通って後方に移行すると共に、抜け止め部材３の山形状部３ｂは、回路基板９の下面に押されてへたり状態となる。
【００３５】
そして、電子ユニット８の挿入を続けて、挿入が完了すると、図３に示すように、回路基板９の前端部が山形状部３ｂに弾接した状態で係合すると共に、回路基板９の後端部が抜け止め部材３のバネ性によって後壁５ｃに弾圧されると共に、回路基板９の下面に設けられた電極９ａは、接触部７ａに接触する。
【００３６】
また、電子ユニット８の挿入が完了すると、図４に示すように、回路基板８の上面は、一対の押さえ部６によって押さえられて、上方への移動が阻止されると共に、空隙部Ｋからは、アンテナ１２と電子部品１１が上方に突出した状態になる。
【００３７】
このようにして取り付けられた電子ユニット８は、上下方向が押さえ部６と底壁５ａ、左右方向が一対の側壁５ｂ、更に、前後方向が抜け止め部材３と後壁５ｃによって支持された状態となり、特に、電子ユニット８の挿入方向である前後方向においては、抜け止め部材３の存在によって、振動や衝撃等が生じても、電子ユニット８が移動したり、抜け出るようなことが無くなる。
【００３８】
なお、上記実施例では、抜け止め部材３が回路基板９の端部に係合するもので説明したが、回路基板９に孔を設け、抜け止め部材３が孔に弾接、係合するようにしても良い。
【図面の簡単な説明】
【００３９】
【図１】本発明の回路モジュールの斜視図である。
【図２】本発明の回路モジュールに係り、電子ユニットを取り去った状態を示す斜視図である。
【図３】本発明の回路モジュールに係り、電子ユニットの抜け防止状態を示す断面図である。
【図４】本発明の回路モジュールに係り、アンテナがコネクタから突出した状態を示す要部断面図である。
【図５】従来の回路モジュールの要部断面図である。
【符号の説明】
【００４０】
１  マザー基板
２  導電パターン
３  抜け止め部材
３ａ  取付部
３ｂ  山形状部
４  コネクタ
５  枠体
５ａ  底壁
５ｂ  側壁
５ｃ  後壁
６  押さえ部
６ａ  底部
６ｂ  側部
６ｃ  上部
７  コンタクト
７ａ  接触部
７ｂ  端子部
Ｋ  空隙部
８  電子ユニット
９  回路基板
１０  配線パターン
１０ａ  電極
１１  電子部品
１２  アンテナ
【図１】
2007214047.tif 000003
【図２】
2007214047.tif 000004
【図３】
2007214047.tif 000005
【図４】
2007214047.tif 000006
【図５】
2007214047.tif 000007